(57)【要約】【課題】      側部と底部の接合面を底部に加重が掛かる方向にして接合力を強化した釣用容器を提供することである。【解決手段】  容器本体は、柔軟性を有する合成樹脂シ−トで形成された側部構成部材Ａと底部構成部材Ｂで略直方体状の容器体に形成されている。  側部構成部材Ａは外側壁部材１と内側壁部材２の二重に形成されて外側壁部材１の側壁１ａの下端部１ｃと内側壁部材２の側壁２ａの下端部２ｃは重ねられて溶着接合されて底部構成部材Ｂの突片７ｄ、８ｄと対向する接合部ｂとなっていて底部構成部材Ｂは、外側底部材７と内側底部材８の二重でカップ状に形成されている。  側部構成部材Ａと底部構成部材Ｂが合体される時は、突片７ｄと突片８の間に突片７ｄ、８ｄと対向する接合部ｂが挿入されて高周波加熱処理の溶着接合で接合される。【選択図】        図２
2008295317.tif 000002
【特許請求の範囲】
【請求項１】
柔軟性を有する合成樹脂シ−トで形成した釣用容器において、容器本体は側部構成部材と底部構成部材を有し、前記側部構成部材と前記底部構成部材の少なくとも一方が二重に形成され、他方を内側と外側から挟んで溶着されていることを特徴とする釣用容器。
【請求項２】
前記側部構成部材と前記底部構成部材の接合部分は前記底部構成部材の底部に折曲部を介して前記側部構成部材へ向かう突片を一体に形成し、前記突片を前記側部構成部材の側壁の下端の内側と外側を挟んで溶着されていることを特徴とする請求項１記載の釣用容器。
【請求項３】
前記底部構成部材は内側と外側の間に発泡材を介在させたことを特徴とする請求項１又は２記載の釣用容器。
【発明の詳細な説明】
【技術分野】
【０００１】
本発明は、魚釣り等のレジャ−に用いる釣用容器に関する。
【背景技術】
【０００２】
従来から例えば特許文献１のようにＥＶＡ（エチレン酢酸ビニ−ル）等の合成樹脂シ−トで形成した釣用容器が用いられている。
これらの釣用容器は、撒き餌や生き餌用の餌入れ、魚入れ容器、水汲み用容器（バケツ）、濡れ物入れ容器、その他釣用小物入れなど多くの用途に使用されている。
しかし、特許文献１および特許文献２の容器では、側部と底部の接合において、両者の接合面を内側から外側に向けて突出するように接合しているので、釣糸が接触すると傷付きが発生する欠点がある。
【特許文献１】実開昭６３−１３５６２号公報
【特許文献２】特開２００２−１８６３９４号公報
【発明の開示】
【発明が解決しようとする課題】
【０００３】
解決しようとする問題点は、側部と底部の接合面を内側から外側に向けて突出するように接合しているので、釣糸が接触すると傷付きが発生する欠点があることである。
【０００４】
本発明の目的は前記欠点に鑑み、側部と底部の接合面を底部に加重が掛かる方向にして接合力を強化した釣用容器を提供することである。
【課題を解決するための手段】
【０００５】
本発明の請求項１は、柔軟性を有する合成樹脂シ−トで形成した釣用容器において、容器本体は側部構成部材と底部構成部材を有し、前記側部構成部材と前記底部構成部材の少なくとも一方が二重に形成され、他方を内側と外側から挟んで溶着されていることを要旨とするものである。
本発明の請求項２は、前記側部構成部材と前記底部構成部材の接合部分は前記底部構成部材の底部に折曲部を介して前記側部構成部材へ向かう突片を一体に形成し、前記突片を前記側部構成部材の側壁の下端の内側と外側を挟んで溶着されていることを要旨とするものである。
本発明の請求項３は、前記底部構成部材は内側と外側の間に発泡材を介在させたことを要旨とするものである。
【発明の効果】
【０００６】
本発明の請求項により、底部構成部材の突片と突片の間に側部構成部材の接合部が挿入されて溶着接合されると、底部構成部材の中に釣具等を収納した時に、接合部分に掛かる加重の方向が側部構成部材の上下の長手方向となり、突片の面と突片の面に対向する接合部の面の接合部分が上下の長手方向と同一方向となり、剥離し難くなる。
側部と底部を接合した部分が外側に向けて突出しないため釣糸の傷付きが防止できる。
【発明を実施するための最良の形態】
【０００７】
釣用容器の容器本体は、柔軟性を有する合成樹脂シ−トで形成された側部構成部材Ａと底部構成部材Ｂが高周波加熱処理の溶着接合で接合され、略直方体状の容器体に形成されている。
側部構成部材Ａは外側壁部材１と内側壁部材２の二重に形成されて中間に発泡材３が挟み込まれている。
外側壁部材１の側壁１ａの下端部１ｃと内側壁部材２の側壁２ａの下端部２ｃは重ねられて溶着接合されて底部構成部材Ｂの突片７ｄ、８ｄと対向する接合部ｂとなって側部構成部材Ａの下端部から下方に突出する突片を形成している。
底部構成部材Ｂは、外側底部材７と内側底部材８の二重でカップ状に形成されて中間に発泡材９が挟み込まれている。
側部構成部材Ａと底部構成部材Ｂが合体される時は、突片７ｄと突片８の間に突片７ｄ、８ｄと対向する接合部ｂが挿入されて高周波加熱処理用の電極Ｃと電極Ｆで挟み込んで高周波加熱処理の溶着接合で接合される。
【実施例１】
【０００８】
以下、図示の実施例によって本発明を説明すると、図１から図５は第１実施例で、図１は釣用容器の斜視図、図２は釣用容器の断面側面図、図３は釣用容器の一部拡大断面側面図、図４は釣用容器の分解断面側面図、図５は釣用容器の側部と底部に高周波加熱処理用の電極を当てた断面側面図である。
【０００９】
容器本体は、柔軟性を有する合成樹脂シ−トで形成された側部構成部材Ａと底部構成部材Ｂが高周波加熱処理の溶着接合で接合され、略直方体状の容器体に形成されている。
側部構成部材Ａや底部構成部材Ｂの合成樹脂シ−ト材料は、ＥＶＡ（エチレン酢酸ビニ−ル）、ＰＶＣ（ポリ塩化ビニ−ル）、ＰＥ（ポリエチレン）等防水性を有する材料が使用されている。
側部構成部材Ａは外側壁部材１と内側壁部材２の二重に形成されて中間に合成樹脂の発泡材３が挟み込まれ、外側壁部材１と内側壁部材２は発泡材３を囲んで互いに溶着されている。
外側壁部材１は横断面矩形の筒状に側壁１ａが形成されて上端部側の開口縁はフレ−ム４を内側に向けて巻き込んで円弧部１ｂとなっている。
内側壁部材２は横断面矩形の筒状に側壁２ａが形成されて開口縁はフレ−ム４の外側に向けて円弧部１ｂを巻き込んでいる。
外側壁部材１と内側壁部材２はａ部で溶着されると共に開口縁外側の端部２ｂが外側に突出されている。
外側壁部材１の側壁１ａの下端部１ｃと内側壁部材２の側壁２ａの下端部２ｃは重ねられて溶着接合されて突片７ｄ、８ｄと対向する接合部ｂとなって側部構成部材Ａの下端部から下方に突出する突片を形成している。
【００１０】
側部構成部材Ａの開口の上側には蓋体５が載せられ、側部構成部材Ａの後側上縁に蓋体５が、薄い合成樹脂シ−トで形成された蓋連結部１０で連結され、蓋連結部１０以外の側部構成部材Ａと蓋体５間は係合チャック６で開閉自在に閉じられている。
側部構成部材Ａの長手方向両側には係止具１１が固定されて係止具１１にベルト１２が取り付けられている。
【００１１】
底部構成部材Ｂは、外側底部材７と内側底部材８を上下に重ねて周囲に上方への立ち上がり部Ｔを有するカップ状に形成されて中間に発泡材９が挟み込まれている。
なお、発泡材３、発泡材９は柔軟性を有し、断熱効果及び緩衝効果を有し、外側底部材７と内側底部材８は発泡材９を囲んで互いに溶着されている。
外側底部材７の底部７ａの周囲に沿って一体に形成された湾曲した折曲部７ｂとこの折曲部７ｂの上部に外向きに屈曲した屈曲部７ｃを介して底部構成部材Ｂの周囲に沿って上向きに突出する突片７ｄが一体にカップ状に形成されている。
折曲部７ｂと屈曲部７ｃと突片７ｄは高周波加熱処理用の電極Ｃ、Ｄに挟まれて高周波加熱処理で形成される。
内側底部材８の底部８ａの周囲に沿って一体に形成された湾曲した折曲部８ｂと折曲部８ｂの上部に内向きに屈曲した屈曲部８ｃを介して上向きに突出する突片８ｄが一体にカップ状に形成されている。
折曲部８ｂと屈曲部８ｃと突片８ｄは高周波加熱処理用の電極Ｅ、Ｆに挟まれて高周波加熱処理で形成される。
外側底部材７の折曲部７ｂと内側底部材８の折曲部８ｂは重ねられて溶着接合されている。
立ち上がり部Ｔの上端は、突片７ｄと突片８ｄが間隙Ｋを介してＹ字状に配されて接合部を形成し、その間隔は、外側壁部材１の側壁１ａの下端部１ｃと内側壁部材２の側壁２ａの下端部２ｃが重ねられて溶着接合された突片７ｄ、８ｄと対向する接合部ｂの厚さより幾分広く形成されている。
【００１２】
側部構成部材Ａと底部構成部材Ｂが合体される時は、突片７ｄと突片８の間の間隙Ｋに突片７ｄ、８ｄと対向する接合部（突片）ｂが挿入されて高周波加熱処理用の電極Ｃと電極Ｆで挟み込んで高周波加熱処理の溶着接合で接合される。
突片７ｄと突片８ｄの間に突片７ｄ、８ｄと対向する接合部ｂが挿入されて溶着接合されると、底部構成部材Ｂの中に釣具等を収納した時に、接合部分に掛かる加重の方向が側部構成部材Ａの上下の長手方向となり、突片７ｄの面と突片８の面と突片７ｄ、８ｄと対向する接合部ｂの面の接合部分が上下の長手方向と同一方向となり、剥離し難くなる。
また、接合部（突片）ｂを両側から突片７ｄ、８ｄで挟んで接合されるため接合が強固となり、また両者の接合部は外方に突出しない。
【００１３】
前記のように釣用容器が構成されると、底部構成部材Ｂの突片７ｄと突片８ｄの間に側部構成部材Ａの突片７ｄ、８ｄと対向する接合部ｂが挿入されて溶着接合されると、溶着接合が強固になり、底部構成部材Ｂの中に釣具等を収納した時に、接合部分に掛かる加重の方向が側部構成部材Ａの上下の長手方向となり、突片７ｄの面と突片８ｄの面と突片７ｄ、８ｄと対向する接合部ｂの面の接合部分が上下の長手方向と同一方向となり、剥離し難くなる。
接合部が外方へ突出しないため釣糸が触れても傷付きが防止される。
【実施例２】
【００１４】
図６は第２実施例で、図６は釣用容器の一部拡大断面側面図である。
【００１５】
第２実施例では、側部構成部材Ａの外側壁部材１の側壁１ａの下端部１ｃに突片１ｄと突部１ｅが形成され、内側壁部材２の側壁２ａの下端部２ｃに突片２ｄと突部２ｅが形成されている。
突部１ｅと突部２ｅを突き合わせることにより突片１ｄと突片２ｄの間に一定の間隔が形成されている。
底部構成部材Ｂの外側底部材７の底部７ａの周囲に沿って一体に形成された湾曲した折曲部７ｂとこの折曲部７ｂを介して上向きに突出する突片７ｅが一体にカップ状に形成されている。
折曲部７ｂと突片７ｅは第１実施例図４と同様に高周波加熱処理用の電極Ｃ、Ｄに挟まれて高周波加熱処理で形成される。
内側底部材８の底部８ａの周囲に沿って一体に形成された湾曲した折曲部８ｂと折曲部８ｂから上方に延びた突片８ｅが一体にカップ状に形成されている。
折曲部８ｂと突片８ｅは第１実施例図４と同様に高周波加熱処理用の電極Ｅ、Ｆに挟まれて高周波加熱処理で形成される。
外側底部材７の折曲部７ｂと内側底部材８の折曲部８ｂ及び突片７ｅと突片８ｅは重ねられて溶着接合されて突片７ｅと突片８ｅで突片１ｄ、２ｄと対向する接合部ｃとなっている。
突片１ｄと突片２ｄの間隔は、突片７ｅと突片８ｅの突片１ｄ、２ｄと対向する接合部ｃの厚さより幾分広く形成されている。
他の構成は前記第１実施例と略同一である。
【００１６】
側部構成部材Ａと底部構成部材Ｂが合体される時は、突片１ｄと突片２ｄの間に突片７ｅと突片８ｅの突片１ｄ、２ｄと対向する接合部ｃが挿入されて図示しない高周波加熱処理用の電極で挟み込んで高周波加熱処理の溶着接合で接合される。
突片１ｄと突片２ｄの間に突片１ｄ、２ｄと対向する接合部ｃが挿入されて溶着接合されると、底部構成部材Ｂの中に釣具等を収納した時に、接合部分に掛かる加重の方向が側部構成部材Ａの上下の長手方向となり、突片１ｄの面と突片２ｄの面と突片１ｄ、２ｄと対向する接合部ｃの面の接合部分が上下の長手方向と同一方向となり、剥離し難くなる。
【実施例３】
【００１７】
図７は第３実施例で、図７は釣用容器の一部拡大断面側面図である。
【００１８】
第３実施例では、側部構成部材Ａが一枚の柔軟性を有する合成樹脂シ−トで形成された壁部材２′で構成されている。
壁部材２′の側壁２ａの下端部２ｃは突片７ｄ、８ｄと対向する接合部ｄとなっている。
底部構成部材Ｂは前記第１実施例と略同一で、外側底部材７の突片７ｄと内側底部材８の突片８ｄの間隔は、突片７ｄ、８ｄと対向する接合部ｄの厚さより幾分広く形成されている。
【００１９】
側部構成部材Ａと底部構成部材Ｂが合体される時は、底部構成部材Ｂの突片７ｄと突片８ｄの間に側部構成部材Ａの突片７ｄ、８ｄと対向する接合部ｄが挿入されて図示しない高周波加熱処理用の電極で挟み込んで高周波加熱処理の溶着接合で接合される。
【産業上の利用可能性】
【００２０】
本発明は釣用容器全般に利用できる。
【図面の簡単な説明】
【００２１】
【図１】第１実施例で、釣用容器の斜視図である。
【図２】同釣用容器の断面側面図である。
【図３】同釣用容器の一部拡大断面側面図である。
【図４】同釣用容器の分解断面側面図である。
【図５】同釣用容器の側部と底部に高周波加熱処理用の電極を当てた断面側面図である。
【図６】第２実施例で、釣用容器の一部拡大断面側面図である。
【図７】第３実施例で、釣用容器の一部拡大断面側面図である。
【符号の説明】
【００２２】
Ａ  側部構成部材
Ｂ  底部構成部材
１ａ、２ａ  側壁
１ｃ、２ｃ  下端部
７ａ、８ａ  底部
７ｂ、８ｂ  折曲部
１ｄ、２ｄ、７ｄ、７ｅ、８ｄ、８ｅ  突片
３、９  発泡材
【図１】
2008295317.tif 000003
【図２】
2008295317.tif 000004
【図３】
2008295317.tif 000005
【図４】
2008295317.tif 000006
【図５】
2008295317.tif 000007
【図６】
2008295317.tif 000008
【図７】
2008295317.tif 000009